(57)【特許請求の範囲】
【請求項１】
警戒エリア内の人体を検出する検知センサと、
前記検知センサの出力に基づいて照明光を点灯させる照明器と、
前記照明器によって照明された人体を撮像するカメラと、
前記照明器および前記カメラを収容する装置本体であって、斜め下方の警戒エリア内に侵入した人体に対向するように設置された装置本体と、
を備え、
前記照明器は、
当該照明器の後部に配置された光源と、
当該照明器の筐体の内周面に設けられたリフレクタと、
前記光源およびリフレクタからの照明光を互いに異なる複数の角度で配光可能な配光部材を有しており、
前記配光部材は、前記警戒エリアの最遠方領域において、前記照明器からの照明光の照明量を最大にし、前記最遠方領域よりも近方の領域において、人体までの距離に応じて照明量を徐々に減少させるように配光するとともに、照射光を当該装置の真下領域に配光する、
カメラ付き防犯照明装置。
【請求項２】
請求項１に記載のカメラ付き防犯照明装置において、前記配光部材は、斜め下方の前記警戒エリアに向けて配光する斜方配光レンズ部と、前記真下領域に向けて配光する下方配光レンズ部とを有する配光レンズを備えている、カメラ付き防犯照明装置。
【請求項３】
請求項２に記載のカメラ付き防犯照明装置において、前記配光レンズの前記斜方配光レンズ部は、上下方向において前方に膨出する形状を有し、前記配光レンズの前記下方配光レンズ部は、上下方向において後方に凹む形状を有している、カメラ付き防犯照明装置。
【請求項４】
請求項１から３のいずれか一項に記載のカメラ付き防犯照明装置において、前記配光部材は、前記照明光が左右方向に略一定の照度となるように配光する、カメラ付き防犯照明装置。
【請求項５】
請求項１から４のいずれか一項に記載のカメラ付き防犯照明装置において、前記配光部材は、前記斜め下方の照明光が上方に拡散するのを制限するように配光する、カメラ付き防犯照明装置。
【請求項６】
警戒エリア内の人体を検出する検知センサと、
前記検知センサの出力に基づいて照明光を点灯させる照明器と、
前記照明器を収容する装置本体であって、斜め下方の警戒エリア内に侵入した人体に対向するように設置された装置本体と、
を備え、
前記照明器は、
当該照明器の後部に配置された光源と、
当該照明器の筐体の内周面に設けられたリフレクタと、
前記光源およびリフレクタからの照明光を互いに異なる複数の角度で配光可能な配光部材を有しており、
前記配光部材は、前記警戒エリアの最遠方領域において、前記照明器からの照明光の照明量を最大にし、前記最遠方領域よりも近方の領域において、人体までの距離に応じて照明量を徐々に減少させるように配光するとともに、照射光を当該装置の真下領域に配光する、
防犯照明装置。
【発明の詳細な説明】
【技術分野】
【０００１】
本発明は、主として、警戒エリア内の人体を検知して、当該人体に照明を当ててカメラで撮像するカメラ付き防犯照明装置に関する。
【背景技術】
【０００２】
従来から、例えば赤外線（ＰＩＲ）センサのようなセンサと、このセンサにより警戒エリア内の人体を検知して、検知した人体に照明を当てる照明器と、照明を当てた状態で人体を撮像するカメラとを備えたカメラ付き防犯照明装置が知られている（例えば、特許文献１）。人体を検知するセンサとしては、他に超音波センサやマイクロウェーブ（ＭＷ）センサなどが使用される。
【先行技術文献】
【特許文献】
【０００３】
【特許文献１】特開２００７−２９９１３１号
【発明の概要】
【発明が解決しようとする課題】
【０００４】
しかし、照明器として、ビーム電球などの同心円状の輝度曲線をもつものは、カメラ画面遠方の左右中央部分に照明中心を合せると、遠方中央部分の人体は適正な明るさになるが、遠方左右部分が暗くなる。また、カメラ画面手前の近距離においては白とびが発生する。
【０００５】
一方、ビデオカメラ用の光源で画角に合わせて横長の照度範囲をもつものは、狭いビーム範囲であれば、遠方から中距離までは適正な明るさになるが、近距離は明るさ不足で、装置取付箇所の真下は非常に暗い。広いビーム範囲にすると、近距離で白とびが発生しやすくなり、近距離は明るさ不足になる。
【０００６】
また、警戒エリアの左右に壁面の一部が映り込む場合、壁面へのライト照射により壁面が白飛びしたり、壁面を含む画面でカメラ側が明るさを判断するために、画面中央の人体が暗く映るなどの不具合が起こりやすい。
【０００７】
他方、屋外の防犯灯として道路を均一に照らせるよう配光したものが知られているが、一定の道幅で一定照度を確保するようにしているので、カメラ画像では遠くに行くほど照らす角度は狭くなっていくため、センサライトカメラ用の照明器としては好ましくない。
【０００８】
本発明は、上記課題を解決するために、警戒エリア内において、検知対象の人体までの距離に応じた適切な照明量で照明しながら、装置の真下の領域においても、防犯灯や便利灯として十分な照度が得られるカメラ付き防犯照明装置および防犯照明装置を提供することを目的としている。
【課題を解決するための手段】
【０００９】
上記課題を解決するために、本発明に係るカメラ付き防犯照明装置は、警戒エリア内の人体を検出する検知センサと、前記検知センサの出力に基づいて照明光を点灯させる照明器と、前記照明器によって照明された人体を撮像するカメラと、前記照明器および前記カメラを収容する装置本体であって、斜め下方の警戒エリア内に侵入した人体に対向するように設置された装置本体とを備え、前記照明器は、前記照明器の光源からの照明光を互いに異なる複数の角度で配光可能な配光部材を有しており、前記配光部材は、前記警戒エリアの最遠方領域において、前記照明器からの照明光の照明量を最大にし、前記最遠方領域よりも近方の領域において、人体までの距離に応じて照明量を徐々に減少させるように配光するとともに、照射光を当該装置の真下領域に配光する。
【００１０】
この構成によれば、警戒エリア内においては、検知対象の人体までの距離に応じた適切な照明量で照明することにより、白飛びや黒潰れを防止して、照明器からの距離にかかわらずカメラによる適切な撮像が可能になるとともに、装置の真下の領域においても、防犯灯や便利灯として十分な照度が得られる。
【００１１】
本発明の一実施形態において、前記配光部材は、斜め下方の前記警戒エリアに向けて配光する斜方配光レンズ部と、前記真下領域に向けて配光する下方配光レンズ部とを有する配光レンズを備えていてもよい。その場合、前記配光レンズの前記斜方配光レンズ部は、上下方向において前方に膨出する形状を有し、前記配光レンズの前記下方配光レンズ部は、上下方向において後方に凹む形状を有していてもよい。この構成によれば、配光レンズという単一の部材を用いて、装置全体を複雑化、大型化することなく、上述の効果を得ることができる。
【００１２】
本発明の一実施形態において、前記配光部材は、前記照明光が左右方向に略一定の照度となるように配光するものであってよい。この構成によれば、警戒エリア内において、左右方向も含めたいずれの領域においても、カメラによる適切な撮像が可能になる。
【００１３】
本発明の一実施形態において、前記配光部材は、前記斜め下方の照明光が上方に拡散するのを制限するように配光するものであってよい。この構成によれば、近隣への光害を効果的に軽減することができる。
【００１４】
また、本発明に係る防犯照明装置は、警戒エリア内の人体を検出する検知センサと、前記検知センサの出力に基づいて照明光を点灯させる照明器と、前記照明器を収容する装置本体であって、斜め下方の警戒エリア内に侵入した人体に対向するように設置された装置本体とを備え、前記照明器は、前記照明器の光源からの照明光を互いに異なる複数の角度で配光可能な配光部材を有しており、前記配光部材は、前記警戒エリアの最遠方領域において、前記照明器からの照明光の照明量を最大にし、前記最遠方領域よりも近方の領域において、人体までの距離に応じて照明量を徐々に減少させるように配光するとともに、照射光を当該装置の真下領域に配光する。この構成によれば、警戒エリア内においては、検知対象の人体までの距離に応じた適切な照明量で照明しながら、装置の真下の領域においても、防犯灯や便利灯として十分な照度が得られる。
【発明の効果】
【００１５】
上述のように、本発明に係るカメラ付き防犯照明装置および防犯照明装置によれば、警戒エリア内においては、検知対象の人体までの距離に応じた適切な照明量で照明しながら、装置の真下の領域においても、防犯灯や便利灯として十分な照度が得られる。
【図面の簡単な説明】
【００１６】
【図１】本発明の一実施形態に係るカメラ付き防犯照明装置を示す概略斜視図である。
【図２】図１のカメラ付き防犯照明装置に用いられる照明器を示す縦断面図である。
【図３】図１のカメラ付き防犯照明装置に用いられる照明器による配光の例を示す模式図である。
【図４】図１のカメラ付き防犯照明装置に用いられる照明器を示す水平方向断面図である。
【図５】（Ａ）〜（Ｃ）は、図１の実施形態の各変形例に係るカメラ付き防犯照明装置を示す概略斜視図である。
【図６】（Ａ）〜（Ｄ）は、図１の実施形態の各変形例に係るカメラ付き防犯照明装置に使用される配光部材の例を示す概略斜視図である。
【図７】本発明の一実施形態に係る防犯照明装置を示す概略斜視図である。
【発明を実施するための形態】
【００１７】
以下、本発明の実施形態を図面にしたがって説明する。図１は、本発明の一実施形態に係るカメラ付き防犯照明装置１を示す概略斜視図である。このカメラ付き防犯照明装置１は、警戒エリアＷ（図３）内の人体を検知する検知センサ２と、この検知センサ２の出力に基づいて照明光を点灯させる照明器３と、照明器３によって照明された人体を撮像するカメラ４とを備えている。検知センサ２としては、例えば、赤外線（ＰＩＲ）センサを利用する。検知センサ２、照明器３およびカメラ４は、当該装置１の筐体を形成する装置本体５に収容されている。カメラ付き防犯照明装置１は、取付具６を介して、警戒エリアＷの地面または床面から所定距離上方の天井付近や壁面に設置される。取付具６は、照明方向と鉛直方向とを含む平面内で回動方向Ｒに回動自在なヒンジ部６ａを有しており、これにより、照明器３による照明角度を調整できる。
【００１８】
図２は、本実施形態のカメラ付き防犯照明装置１の照明器３の一例を示す側面図である。この例では、照明器３は、その後部に配置された光源であるＬＥＤ１１と、前部に配置された配光部材である配光レンズ１２と、照明器３の筐体の周内側面に設けられたリフレクタ１３とを有している。配光部材は、照明器３の光源からの照射光を互いに異なる複数の角度で配光する。ＬＥＤ１１は例えばビデオカメラ用の光源であり、横長の照度範囲を有する。なお、光源として、ＬＥＤ１１のほかに、反射鏡やレンズで照射光をビーム状にしたものを使用してもよい。配光レンズ１２は、照射光を、例えば前方、下方および左右に拡散する。
【００１９】
照明器３は、配光部材である配光レンズ１２の上下方向における上部から中央部付近にかけて位置する斜方配光レンズ部１２ａによって、図３に示す、斜め下方の警戒エリアＷに向けて配光しており、最遠方領域Ｗｆにおいて照射量を最大とし、角度が下になるにしたがって（つまり人体までの距離が短くなるにしたがって）人体上半身部分までの距離に応じて照射量を連続的に（段階的に）削減する。これにより、照明器３では、その照度分布において、カメラ画面内（つまり警戒エリアＷ内）の最遠方領域Ｗｆから最近方領域Ｗｎまでにかけて、人体の上半身部分に対して略一定の照度が得られる。画面内では、概ね等距離にあたる水平方向で等しい照度となるように配光している。さらに、配光レンズ１２の上下方向における下部に位置する下方配光レンズ部１２ｂ（図２）によって、画角より手前から装置取付部分の真下付近の真下領域Ｂに向けて配光する。
【００２０】
なお、ここでの「警戒エリアＷに向けて配光する」、「真下領域Ｂに向けて配光する」とは、対象となるエリアまたは領域内のみならず、そのエリアまたは領域のやや外側を含む範囲に光を照射する場合も含む。また、「真下領域Ｂ」とは、カメラ付き防犯照明装置１の鉛直方向下方の地点のみならず、その地点を中心とした近傍の範囲をも含む。図３の例では、警戒エリアＷと真下領域Ｂとは互いに重複しない範囲に設定されている。もっとも、警戒エリアＷと真下領域Ｂとは互いに重複していてもよい。その場合にも、本実施形態に係る配光部材の上記の構造および機能によって、警戒エリアＷ内における真下領域Ｂに近接する部分への照射量よりも、真下領域Ｂへの照射量の方が大きくなる。
【００２１】
図２に示すように、本実施形態における配光レンズ１２の斜方配光レンズ部１２ａは、上下方向において（つまり縦方向断面において）前方（警戒エリアＷ側）に膨出する形状を有し、配光レンズ１２の下方配光レンズ部１２ｂは、上下方向において後方（光源側）に凹む形状を有している。図示の例では、下方配光レンズ部１２ｂは配光レンズ１２の上下方向の中心線Ｃよりも下方の部分に形成されている。また、図４に示すように、配光レンズ１２は、上下のいずれのレンズ部１２ａ，１２ｂにおいても、左右方向において（つまり水平方向断面において）後方（光源側）に凹む形状を有している。
【００２２】
この構成により、照明器３は、その照度分布において、上下角方向については、カメラ画面奥（最遠方領域Ｗｆ）から画面手前（最近方領域Ｗｎ）までの人体（主に上半身）部分で略一定の照度が得られ、かつ、装置取付部分の真下領域Ｂにおいても、防犯灯や便利灯として十分な照度が得られる。さらに、左右方向については、必要な範囲において概略一定の照度が得られる。
【００２３】
図５（Ａ）〜（Ｃ）は、本実施形態の変形例を示す概略斜視図である。これらの変形例では、配光部材として、図２に示した配光レンズ１２とは異なる部材を用いている。図５（Ａ）の例では、配光部材として、ＬＥＤ１１の前方に集光レンズ２１を配置し、照明器３の前方にレンズ拡散板（ＬＳＤ）２３を配置し、照明器３の上方に照明光を下方に反射させる反射板２５を配置している。反射板２５によって、上方の照射光を減衰させる、または下方に反射させることにより近隣への光害を軽減することができる。なお、照射光を反射板２５で反射させる代わりに、レンズやプリズムによって下方へ放射させるようにしてもよい。
【００２４】
図５（Ｂ）の例では、ＬＥＤ１１の前方に集光レンズ２１を配置し、装置前方にレンズ拡散板（ＬＳＤ）２３およびレンズ下方に光を下方に放射させるプリズム２７を有している。なお、この例では、ＬＳＤ２３を省略しても照射光を下方に配光することは可能である。
【００２５】
図５（Ｃ）の例では、装置の前方に重ねて配置された、照射光を水平方向に拡散させるプリズム３１と、垂直方向に拡散させるプリズム３３と、周側面に設けられたリフレクタ１３とを有している。
【００２６】
本実施形態に係るカメラ付き防犯照明装置１のさらなる変形例に使用される配光部材の例を、図６に示す。図６（Ａ）は、照射光を左右に均等に拡散させるプリズム４１を、図６（Ｂ）は、照射光を左右のいずれか一方（図示の例では左側）に拡散させるプリズム４３を示す。このようなプリズム４１，４３によれば、例えば左右の両方または一方に壁があって反射光の影響が大きい場合に壁方向への照射を減少させることができる。また、図６（Ｃ）に示す、上下に拡散させるプリズム４５を使用してもよく、図６（Ｄ）に示すようにレンズ前面で下側に配光を広げるレンズ４７を使用してもよい。さらに、これらを適宜組み合わせて使用してもよい。
【００２７】
このように、本実施形態に係るカメラ付き防犯照明装置１によれば、警戒エリアＷ内においては、検知対象の人体までの距離に応じた適切な照明量で照明することにより、白飛びや黒潰れを防止して、警戒エリアＷ内のいずれの領域においてもカメラによる適切な撮像が可能になるとともに、装置の真下の領域Ｂにおいても、防犯灯や便利灯として十分な照度を得ることができる。
【００２８】
次に、図７に、本発明の一実施形態に係る防犯照明装置３１を示す。この防犯照明装置３１は、図１〜図６を参照しながら説明したカメラ付き防犯照明装置１からカメラ４を省略したものであり、カメラ４を備えていない点を除いて、カメラ付き防犯照明装置１と同様の構成を有している。この防犯照明装置３１によれば、警戒エリアＷ内においては、検知対象の人体までの距離に応じた適切な照明量で照明しながら、装置３１の真下の領域Ｂにおいても、防犯灯や便利灯として十分な照度を得ることができる。
【００２９】
以上のとおり、図面を参照しながら本発明の好適な実施形態を説明したが、本発明の趣旨を逸脱しない範囲内で、種々の追加、変更または削除が可能である。したがって、そのようなものも本発明の範囲内に含まれる。
【符号の説明】
【００３０】
１：カメラ付き防犯照明装置
２：検知センサ
３：照明器
４：カメラ
５：装置本体
１１：ＬＥＤ（光源）
１２：配光レンズ（配光部材）
１２ａ：斜方配光レンズ部
１２ｂ：下方配光レンズ部
１３：リフレクタ
３１：防犯照明装置
Ｂ：真下領域
Ｗ：警戒エリア
Ｗｆ：警戒エリアの最遠方領域
Ｗｎ：警戒エリアの最近方領域
【図１】
0006528177.tif 000002
【図２】
0006528177.tif 000003
【図３】
0006528177.tif 000004
【図４】
0006528177.tif 000005
【図５】
0006528177.tif 000006
【図６】
0006528177.tif 000007
【図７】
0006528177.tif 000008